(57)【要約】【課題】照明装置および空調装置を備えた植物工場において、余分なエネルギーを消費することなく、植物の周辺空間が高湿度になってしまうのを未然に防止する。【解決手段】冷房運転が可能な空調装置５０を備えた構成とし、その送風ダクト５４の先端部を、各栽培容器３０の上方においてこれに沿って延びる容器対向部５４Ｃとして構成する。そして、これら各容器対向部５４Ｃにおいて、各栽培容器３０の上方に配置された各照明装置４０の上方側から各栽培容器３０に収容された植物Ｐへ向けて冷却空気を吹き出す構成とする。このように冷却空気を各照明装置４０を経由させることにより、冷却空気を各照明装置４０の発生する熱によって温めてその相対湿度を低下させた状態で、各栽培容器３０に収容された植物Ｐに到達させるようにする。そしてこれにより植物Ｐの周辺空間の相対湿度が過度に高くならないようにする。【選択図】図３
2014014285.tif 000002
【特許請求の範囲】
【請求項１】
建屋の屋内空間に、上下方向に所定間隔をおいて配置された複数の栽培容器と、これら複数の栽培容器の各々の上方に配置され、該栽培容器に収容された植物に対して人工光を照射する複数の照明装置と、冷房運転が可能な空調装置と、が配置されてなる植物工場において、
上記空調装置が、装置本体とこの装置本体から延びる送風ダクトとを備え、上記送風ダクトにおいて上記各照明装置の上方側から上記各栽培容器に収容された植物へ向けて冷却空気を吹き出すように構成されている、ことを特徴とする植物工場。
【請求項２】
上記送風ダクトが、上記装置本体に接続されたダクト基幹部とこのダクト基幹部から枝分かれした複数のダクト分枝部とを備えており、
上記各ダクト分枝部の先端部が、上記各栽培容器の上方において該栽培容器に沿って延びる容器対向部として構成されている、ことを特徴とする請求項１記載の植物工場。
【請求項３】
上記各容器対向部の下面壁に、複数の空気吹出し孔が形成されている、ことを特徴とする請求項２記載の植物工場。
【請求項４】
上記複数の容器対向部のうち上方側に上記栽培容器が配置されている容器対向部が、該栽培容器と一体で形成されたダクト本体に上記下面壁が取り付けられた構成となっている、ことを特徴とする請求項３記載の植物工場。
【請求項５】
上記各容器対向部が、ソックダクトで構成されている、ことを特徴とする請求項２記載の植物工場。
【発明の詳細な説明】
【技術分野】
【０００１】
本願発明は、照明装置および空調装置を備えた植物工場に関するものである。
【背景技術】
【０００２】
従来より、植物工場として、建屋の屋内空間に複数の栽培容器が上下方向に所定間隔をおいて配置されるとともに、これら複数の栽培容器の各々に収容された植物に対して人工光を照射する照明装置が各栽培容器の上方に配置された構成のものが知られている。
【０００３】
このような植物工場においては、その照明装置からの発熱により屋内空間の温度が上昇するが、この温度上昇により各栽培容器に収容された植物の生育に悪影響が及んでしまうのを未然に防止するため、空調装置の冷房運転により屋内空間の空気を冷却する構成となっているのが一般的である。
【０００４】
その際「特許文献１」に記載された植物工場においては、各栽培容器の奥側に空気ファンが配置された構成とすることにより、空調装置から屋内空間に放出された冷却空気を各栽培容器に対してその手前側から奥側へ導くようにしている。
【先行技術文献】
【特許文献】
【０００５】
【特許文献１】特開２００８−２１２０７８号公報
【発明の概要】
【発明が解決しようとする課題】
【０００６】
植物工場においては、各栽培容器に収容された植物の周辺空間の相対湿度を一定範囲内の値に維持することが植物の生育上好ましい。しかしながら、各栽培容器に収容された植物からは、その蒸散作用により大量の水蒸気が発生するため、その周辺空間は高湿度になってしまう傾向にある。
【０００７】
このため、従来の植物工場においては、再熱機能を有する空調装置を用いて再熱を行うことにより植物の周辺空間の相対湿度を低下させることが必要となる。しかしながら、このようにした場合には、再熱のためのエネルギーが必要となり、また再熱による温度上昇分を冷却するためのエネルギーも必要となる、という問題がある。
【０００８】
本願発明は、このような事情に鑑みてなされたものであって、照明装置および空調装置を備えた植物工場において、余分なエネルギーを消費することなく、植物の周辺空間が高湿度になってしまうのを未然に防止することができる植物工場を提供することを目的とするものである。
【課題を解決するための手段】
【０００９】
本願発明は、空調装置の構成に工夫を施すことにより、上記目的達成を図るようにしたものである。
【００１０】
すなわち、本願発明に係る植物工場は、
建屋の屋内空間に、上下方向に所定間隔をおいて配置された複数の栽培容器と、これら複数の栽培容器の各々の上方に配置され、該栽培容器に収容された植物に対して人工光を照射する複数の照明装置と、冷房運転が可能な空調装置と、が配置されてなる植物工場において、
上記空調装置が、装置本体とこの装置本体から延びる送風ダクトとを備え、上記送風ダクトにおいて上記各照明装置の上方側から上記各栽培容器に収容された植物へ向けて冷却空気を吹き出すように構成されている、ことを特徴とするものである。
【００１１】
上記「空調装置」は、少なくとも冷房運転が可能な構成であれば、それ以外の機能は備えていてもよいし備えてなくてもよい。
【００１２】
上記各「送風ダクト」は、各照明装置の上方側から各栽培容器に収容された植物へ向けて冷却空気を吹き出すように構成されていれば、その具体的な構成は特に限定されるものではない。
【発明の効果】
【００１３】
上記構成に示すように、本願発明に係る植物工場は冷房運転が可能な空調装置を備えているが、この空調装置はその送風ダクトにおいて各照明装置の上方側から各栽培容器に収容された植物へ向けて冷却空気を吹き出すように構成されているので、次のような作用効果を得ることができる。
【００１４】
すなわち、空調装置の運転によってその送風ダクトから各栽培容器に収容された植物へ向けて吹き出された冷却空気は、各栽培容器の上方側に配置された照明装置を経由して各栽培容器に収容された植物に到達することとなる。したがって、冷却空気を照明装置の発生する熱によって温めてその相対湿度を低下させた状態で、これを各栽培容器に収容された植物に到達させるようにすることができる。そしてこれにより植物の周辺空間の相対湿度が過度に高くなってしまわないようにすることができる。
【００１５】
しかもこのような作用効果を、従来のように再熱のためのエネルギーおよびこれによる温度上昇分を冷却するためのエネルギーを必要とすることなく得ることができる。
【００１６】
このように本願発明によれば、照明装置および空調装置を備えた植物工場において、余分なエネルギーを消費することなく、植物の周辺空間が高湿度になってしまうのを未然に防止することができる。
【００１７】
上記構成において、空調装置の送風ダクトとして、装置本体に接続されたダクト基幹部とこのダクト基幹部から枝分かれした複数のダクト分枝部とを備えた構成とした上で、これら各ダクト分枝部の先端部を各栽培容器の上方において該栽培容器に沿って延びる容器対向部として構成とすれば、これら各容器対向部から各栽培容器に収容された植物へ向けて冷却空気を精度良く吹き出すようにすることができる。
【００１８】
この場合において、各容器対向部の下面壁に複数の空気吹出し孔が形成された構成とすれば、各栽培容器への冷却空気の吹き出しが均一に行われるようにすることができる。
【００１９】
さらにこの場合において、複数の容器対向部のうち上方側に栽培容器が配置されている容器対向部については、その構成として、該栽培容器と一体で形成されたダクト本体に上記下面壁（すなわち複数の空気吹出し孔が形成された下面壁）が取り付けられた構成とすれば、送風ダクトの構成を簡素化することができる。
【００２０】
あるいは、上記構成において、各容器対向部がソックダクトで構成されたものとすることも可能である。このような構成を採用した場合にも、送風ダクトの構成を簡素化した上で、各栽培容器への冷却空気の吹き出しが均一に行われるようにすることができる。
【図面の簡単な説明】
【００２１】
【図１】本願発明の一実施形態に係る植物工場の全体構成を示す側断面図
【図２】上記植物工場の要部を示す、図１のII−II線矢視図
【図３】図２のIII−III線断面図
【図４】図３のIV部詳細図
【図５】上記実施形態の作用を示す湿り空気線図
【図６】上記実施形態の第１変形例を示す、図４と同様の図
【図７】上記実施形態の第２変形例を示す、図３と同様の図
【図８】上記実施形態の第３変形例を示す、図２と同様の図
【図９】上記実施形態の第４変形例を示す、図２と同様の図
【図１０】上記実施形態の第５変形例を示す、図４と同様の図
【発明を実施するための形態】
【００２２】
以下、図面を用いて、本願発明の実施の形態について説明する。
【００２３】
図１は、本願発明の一実施形態に係る植物工場１０を示す側断面図である。
【００２４】
同図に示すように、本実施形態に係る植物工場１０は、建屋１２の屋内空間１４に、４つの栽培用モジュール２０が所定間隔を置いて設置された構成となっている。
【００２５】
この植物工場１０は、外部と切り離された閉鎖的空間において完全に制御された環境下で野菜等の植物Ｐの生産を行う、いわゆる完全制御型の植物工場として構成されている。このため、建屋１２の屋内空間１４は、断熱性および遮光性が確保された閉鎖的空間として構成されている。
【００２６】
４つの栽培用モジュール２０は、いずれも同様の構成を有している。
【００２７】
これら各栽培用モジュール２０は、上下方向に略等間隔をおいて配置された３つの栽培容器３０と、これら３つの栽培容器３０の各々の上方に配置された３つの照明装置４０と、冷房運転が可能な空調装置５０と、これらを支持するラック６０とを備えた構成となっている。そして、これら各栽培用モジュール２０は、そのラック６０の下端部に取り付けられた複数の車輪６２により床面に沿って移動可能な構成となっている。
【００２８】
図２は、１つの栽培用モジュール２０を取り出して示す、図１のII−II線矢視図である。また、図３は、図２のIII−III線断面図である。
【００２９】
これらの図に示すように、栽培用モジュール２０のラック６０は、縦長でかつ奥行き方向（図２において左右方向）に長く延びるように形成されている。
【００３０】
各栽培容器３０は、水耕栽培ベンチであって、奥行き方向に長く延びる容器として構成されている。
【００３１】
各照明装置４０は、その下方に位置する栽培容器３０に収容された植物Ｐに対して人工光を照射するように構成されている。これら各照明装置４０は、幅方向（図３において左右方向）に延びる蛍光灯が奥行き方向に所定間隔をおいて複数本配置された構成となっている。
【００３２】
空調装置５０は、パッケージ型の装置本体５２と、この装置本体５２から延びる送風ダクト５４とを備えている。そして、この空調装置５０は、その送風ダクト５４において、各照明装置４０の上方側から各栽培容器３０に収容された植物へ向けて冷却空気を吹き出すように構成されている。
【００３３】
装置本体５２は、ラック６０の手前側に取り付けられた棚部６４に載置されている。
【００３４】
送風ダクト５４は、装置本体５２に接続されたダクト基幹部５４Ａと、このダクト基幹部５４Ａから枝分かれした複数のダクト分枝部５４Ｂとを備えている。
【００３５】
ダクト基幹部５４Ａは、ラック６０の上端部に載置されており、手前側から奥側に延びるように形成されている。その際、このダクト基幹部５４Ａは、その通路の断面積が段階的に小さくなるように形成されている。
【００３６】
ダクト分枝部５４Ｂは、各栽培容器３０に対して奥行き方向の４箇所（計１２箇所）において、ラック６０の左側面に沿って下方に延びるように形成されている。そして、これら各ダクト分枝部５４Ｂの先端部は、各栽培容器３０の上方に配置された照明装置４０の上方近傍において該栽培容器３０に沿って水平方向に延びる容器対向部５４Ｃとして構成されている。その際、これら各容器対向部５４Ｃは、各栽培容器３０の幅方向の全幅にわたって形成されており、また、各栽培容器３０の奥行き方向の全長にわたって形成されている。
【００３７】
各容器対向部５４Ｃの下面壁５４Ｃ１には、複数の空気吹出し孔５４Ｃａが形成されている。そして、装置本体５２からダクト基幹部５４Ａおよび各ダクト分枝部５４Ｂを介して各容器対向部５４Ｃに送られてきた冷却空気を、各空気吹出し孔５４Ｃａから各栽培容器３０の全領域において略均等に下向きに吹き出し、これにより各栽培容器３０に収容された植物Ｐに冷却空気を当てるようになっている。その際、各空気吹出し孔５４Ｃａから吹き出した冷却空気は、照明装置４０を経由して下降するので、照明装置４０の発生する熱によって温められてその相対湿度を低下させた状態で植物Ｐに到達することとなる。
【００３８】
図４は、図３のIV部詳細図である。
【００３９】
同図に示すように、各栽培容器３０は、発泡スチロール等で構成されており、その内部には水耕栽培用の水Ｗが収容されている。そして、これら各栽培容器３０の内部には、植物Ｐを支持する支持プレート３２が水Ｗに浮いた状態で配置されている。この支持プレート３２も発泡スチロール等で構成されている。
【００４０】
ラック６０は、各栽培容器３０の左右両側において上下方向に延びる鉛直フレーム６０Ｖと、これら左右１対の鉛直フレーム６０Ｖの内側面に取り付けられた状態で奥行き方向に延びる水平フレーム６０Ｈ１、６０Ｈ２とを備えている。
【００４１】
各容器対向部５４Ｃは、左右１対の水平フレーム６０Ｈ１に支持されている。また、各照明装置４０は、その下方において左右１対の水平フレーム６０Ｈ２に支持されている。
【００４２】
３つの容器対向部５４Ｃのうち中段および下段に位置する２つの容器対向部５４Ｃ（すなわち上方側に栽培容器３０が配置されている容器対向部）は、その上方側の栽培容器３０と一体で形成されたダクト本体５４Ｃ０に、複数の空気吹出し孔５４Ｃａが形成された下面壁５４Ｃ１が取り付けられた構成となっている。
【００４３】
これを実現するため、これら各栽培容器３０には、その底面壁の左右両端部から下方へ延びる下向きフランジ部３０ａが形成されている。また、各下面壁５４Ｃ１は、発泡スチロール等で構成されており、その左右両端部には上方へ延びる上向きフランジ部５４Ｃ１ａが形成されている。そして、これら各下面壁５４Ｃ１は、その左右１対の上向きフランジ部５４Ｃ１ａにおいて各栽培容器３０の下向きフランジ部３０ａと係合して、両者間に容器対向部５４Ｃの空間を形成するようになっている。
【００４４】
各ダクト分枝部５４Ｂは、その下端部において、各下面壁５４Ｃ１の上向きフランジ部５４Ｃ１ａおよび各栽培容器３０の下向きフランジ部３０ａを貫通するようにして各容器対向部５４Ｃの空間に開口している。
【００４５】
なお、最上段に位置する容器対向部５４Ｃは、ダクト本体５４Ｃ０に相当する部材（図示せず）に下面壁５４Ｃ１が取り付けられた構成となっている。
【００４６】
次に、本実施形態の作用効果について説明する。
【００４７】
本実施形態に係る植物工場１０は、冷房運転が可能な空調装置５０を備えているが、この空調装置５０はその送風ダクト５４において各照明装置４０の上方側から各栽培容器３０に収容された植物へ向けて冷却空気を吹き出すように構成されているので、次のような作用効果を得ることができる。
【００４８】
すなわち、空調装置５０の運転によってその送風ダクト５４から各栽培容器３０に収容された植物へ向けて吹き出された冷却空気は、各栽培容器３０の上方側に配置された照明装置４０を経由して各栽培容器３０に収容された植物Ｐに到達することとなる。したがって、冷却空気を各照明装置４０の発生する熱によって温めてその相対湿度を低下させた状態で、これを各栽培容器３０に収容された植物Ｐに到達させるようにすることができる。そしてこれにより植物Ｐの周辺空間の相対湿度が過度に高くなってしまわないようにすることができる。
【００４９】
しかもこのような作用効果を、従来のように再熱のためのエネルギーおよびこれによる温度上昇分を冷却するためのエネルギーを必要とすることなく得ることができる。
【００５０】
この点について、図５に示す湿り空気線図に基づいて具体的に説明する。
【００５１】
図５（ａ）は、建屋１２の屋内空間１４における理想的な空調サイクルを示している。
【００５２】
この空調サイクルにおいては、空調装置５０の冷房運転により、矢印Ａで示すように状態点Ｐ１からＰ２に温度ｔ（℃）が低下し、さらに矢印Ｂで示すようにＰ２からＰ３に温度ｔが低下するとともに絶対湿度ｘ（kg/kg(DA)） が低下する。その後、照明装置４０の点灯に伴う発熱により矢印Ｃで示すようにＰ３からＰ４に温度ｔが上昇し、そして、植物Ｐの蒸散作用により矢印Ｄで示すようにＰ４からＰ１に温度ｔが低下するとともに絶対湿度ｘが上昇する。
【００５３】
ここで、Ｐ１の温度は、空調装置５０の空気吸込み温度であり、Ｐ３の温度は、空調装置５０の空気吹出し温度である。この空調サイクルにおいては、植物Ｐの周辺空間の状態点Ｐ０の温度もＰ１の温度と同一であり、空調装置５０の空気吸込み温度と一致している。そして、Ｐ０の相対湿度は８０％以下の値（例えば７０％程度の値）に抑えられている。
【００５４】
しかしながら、実際には、照明装置４０の点灯に伴う発熱が完了してから植物Ｐの蒸散が開始するわけではないので、図５（ｂ）に示すように、照明装置４０の点灯発熱による温度ｔの上昇過程において（すなわち矢印Ｃがまだ短い状態において）、植物Ｐの蒸散作用により矢印Ｄで示すように温度ｔが低下するとともに絶対湿度ｘが上昇してしまい、これによりＰ０の相対湿度が１００％に近い値となり高湿度になってしまう。なお、その後の照明装置４０の点灯発熱により矢印Ｅで示すように温度ｔがさらに上昇して、最終的にはＰ１の温度は図５（ａ）の場合と同じ値になる。
【００５５】
このようにＰ０の相対湿度が１００％に近い値となってしまうのを未然に防止するために、再熱機能を有する空調装置を用いて再熱を行うようにすれば、図５（ｃ）に示すように、矢印Ｃは、照明装置４０の点灯発熱による温度ｔの上昇分Ｃ１に空調装置の再熱分Ｃ２が付加されるため、Ｐ４の温度が引き上げられ、これによりＰ０の相対湿度を許容可能な値まで低下させることができる。ただし、このようにした場合には、その後の照明装置４０の点灯発熱による温度ｔのさらなる上昇分Ｅにより、Ｐ１の温度が再熱分Ｃ２だけ高くなってしまうので、空調装置５０の冷房運転により、矢印Ａで示すように再熱分Ｃ２だけ余分に冷却することが必要となる。
【００５６】
これに対し、本実施形態に係る植物工場１０においては、冷却空気を照明装置４０の発生する熱によって温めた状態で栽培容器３０に収容された植物Ｐに到達させるようになっているので、図５（ｄ）に示すように、図５（ｃ）の場合において再熱分Ｃ２を付加したのと同程度の長さの矢印ＣでＰ３からＰ４に温度ｔを上昇させることができ、これによりＰ０の相対湿度を許容可能な値まで低下させることができる。しかも、照明装置４０の点灯による発熱量は一定であるので、Ｐ１の温度は図５（ａ）の場合と同じ値になる。
【００５７】
すなわち、本実施形態の構成を採用することにより、再熱のためのエネルギーおよびこれによる温度上昇分を冷却するためのエネルギーを必要とすることなく、植物Ｐの周辺空間の相対湿度が過度に高くなってしまわないようにすることができる。
【００５８】
このように本実施形態によれば、照明装置４０および空調装置５０を備えた植物工場１０において、余分なエネルギーを消費することなく、植物Ｐの周辺空間が高湿度になってしまうのを未然に防止することができる。
【００５９】
その際、本実施形態においては、空調装置５０の送風ダクト５４が、装置本体５２に接続されたダクト基幹部５４Ａとこのダクト基幹部５４Ａから枝分かれした複数のダクト分枝部５４Ｂとを備えた構成となっており、そして、これら各ダクト分枝部５４Ｂの先端部が各栽培容器３０の上方において該栽培容器３０に沿って延びる容器対向部５４Ｃとして構成されているので、これら各容器対向部５４Ｃから各栽培容器３０に収容された植物へ向けて冷却空気を精度良く吹き出すようにすることができる。
【００６０】
しかも本実施形態においては、各容器対向部５４Ｃの下面壁５４Ｃ１に複数の空気吹出し孔５４Ｃａが形成されているので、各栽培容器３０への冷却空気の吹き出しが均一に行われるようにすることができる。
【００６１】
さらに、上方側に栽培容器３０が配置されている中段および下段の容器対向部５４Ｃについては、その上方側の栽培容器３０と一体で形成されたダクト本体５４Ｃ０に、複数の空気吹出し孔５４Ｃａが形成された下面壁５４Ｃ１が取り付けられた構成となっているので、送風ダクト５４の構成を簡素化することができる。
【００６２】
また本実施形態においては、空調装置５０がラック６０に取り付けられているので、各栽培用モジュール２０を移動可能な構成とすることができる。そしてこれにより、建屋１２の屋内空間１４における作業用スペースを最大限に確保することができる。
【００６３】
次に、上記実施形態の変形例について説明する。
【００６４】
まず、上記実施形態の第１変形例について説明する。
【００６５】
図６は、本変形例に係る植物工場における栽培用モジュール１２０の要部を示す、図４と同様の図である。
【００６６】
同図に示すように、本変形例の栽培用モジュール１２０は、その基本的な構成については上記実施形態の場合と同様であるが、各容器対向部５４Ｃの下面壁５４Ｃ１の下面に各照明装置４０からの照射光を下向きに反射させる光反射パネル１５６が取り付けられている点で上記実施形態の場合と異なっている。
【００６７】
これら各光反射パネル１５６には、各下面壁５４Ｃ１に形成された複数の空気吹出し孔５４Ｃａに対応する位置に開口部１５６ａがそれぞれ形成されている。
【００６８】
本変形例の構成を採用することにより、上記実施形態の場合と同様の作用効果を得ることができるようにした上で、各照明装置４０の照明効率を高めることができる。そしてこれにより植物Ｐの生育促進を図ることができる。
【００６９】
次に、上記実施形態の第２変形例について説明する。
【００７０】
図７は、本変形例に係る植物工場における栽培用モジュール２２０を示す、図３と同様の図である。
【００７１】
同図に示すように、本変形例の栽培用モジュール２２０は、その基本的な構成については上記実施形態の場合と同様であるが、その空調装置２５０が送風ダクト２５４だけでなく吸引ダクト２５８も備えている点で上記実施形態の場合と異なっている。
【００７２】
送風ダクト２５４の構成については、そのダクト基幹部２５４Ａの断面積が小さくなっているほかは、上記実施形態の送風ダクト５４の場合と同様である。
【００７３】
一方、吸引ダクト２５８は、ダクト基幹部２５４Ａの右側においてラック６０の上端部に載置されたダクト基幹部２５８Ａと、ラック６０の右側において下方に延びる複数のダクト分枝部２５８Ｂとを備えた構成となっている。その際、各ダクト分枝部２５８Ｂは、その下端部が各栽培容器３０の上方でかつ各照明装置４０の下方において開口するように形成されている。
【００７４】
そして、空調装置２５０は、各ダクト分枝部５４Ｂから吹き出されて各照明装置４０を経由して下降し各栽培容器３０の植物Ｐに到達した冷却空気を、各ダクト分枝部２５８Ｂで吸引してダクト基幹部２５８Ａを介して装置本体（図示せず）に還流させるようになっている。
【００７５】
本変形例の構成を採用することにより、上記実施形態の場合と同様の作用効果を得ることができるようにした上で、空調装置２５０の空気吸込み温度を植物Ｐの周辺空間の温度と略一致させることができ、これにより空調効率を一層高めることができる。
【００７６】
次に、上記実施形態の第３変形例について説明する。
【００７７】
図８は、本変形例に係る植物工場における栽培用モジュール３２０を示す、図２と同様の図である。
【００７８】
同図に示すように、本変形例の栽培用モジュール３２０は、その基本的な構成については上記実施形態の場合と同様であるが、その空調装置３５０の構成が上記実施形態の場合と異なっている。
【００７９】
すなわち、本変形例の空調装置３５０も、パッケージ型の装置本体３５２と、この装置本体３５２から延びる送風ダクト３５４とを備えており、その送風ダクト３５４において各照明装置４０の上方側から各栽培容器３０に収容された植物へ向けて冷却空気を吹き出すように構成されている。
【００８０】
ただし、この空調装置３５０の装置本体３５２は、ラック６０の上端部に載置されており、送風ダクト３５４は、装置本体３５２に接続されたダクト基幹部３５４Ａと、このダクト基幹部３５４Ａから枝分かれしてラック６０の手前側において各栽培容器３０の上方位置まで下方に延びる３つのダクト分枝部３５４Ｂとを備えた構成となっている。
【００８１】
その際、これら３つのダクト分枝部３５４Ｂは、下方へ長く延びるものほどその通路の断面積が小さくなるように形成されている。そして、これら各ダクト分枝部３５４Ｂの先端部は、各栽培容器３０の上方に配置された照明装置４０の上方近傍において該栽培容器３０に沿って奥行き方向に延びる容器対向部３５４Ｃとして構成されている。これら各容器対向部３５４Ｃの構成は、上記実施形態の各容器対向部５４Ｃの構成と略同様である。
【００８２】
そして、本変形例においても、装置本体３５２からダクト基幹部３５４Ａおよび各ダクト分枝部３５４Ｂを介して各容器対向部３５４Ｃに送られてきた冷却空気を、その下面壁３５４Ｃ１に形成された複数の空気吹出し孔３５４Ｃａから各栽培容器３０の全領域において略均等に下向きに吹き出し、これにより各栽培容器３０に収容された植物Ｐに冷却空気を当てるようになっている。その際、各容器対向部３５４Ｃの各空気吹出し孔３５４Ｃａから吹き出した冷却空気は、各照明装置４０を経由して下降するので、各照明装置４０の発生する熱によって温められてその相対湿度を低下させた状態で植物に到達することとなる。
【００８３】
本変形例の構成を採用した場合においても、上記実施形態の場合と同様の作用効果を得ることができる。
【００８４】
次に、上記実施形態の第４変形例について説明する。
【００８５】
図９は、本変形例に係る植物工場における栽培用モジュール４２０を示す、図２と同様の図である。
【００８６】
同図に示すように、本変形例の栽培用モジュール４２０は、その基本的な構成については上記第３変形例の場合と同様であるが、その空調装置３５０の送風ダクト３５４における各ダクト分枝部３５４Ｂの先端部を構成する容器対向部４５４Ｃの構成が、上記第３変形例の場合と異なっている。
【００８７】
すなわち、本変形例の各容器対向部４５４Ｃは、上記第３変形例の各容器対向部３５４Ｃと同様、各栽培容器３０の上方に配置された照明装置４０の上方近傍において該栽培容器３０に沿って奥行き方向に延びているが、これら各容器対向部４５４Ｃが各ダクト分枝部３５４Ｂと一体で形成されている点で上記第３変形例の場合と異なっている。
【００８８】
これら各容器対向部４５４Ｃの下面壁４５４Ｃ１には、複数の空気吹出し孔４５４Ｃａが形成されている。そして、装置本体３５２からダクト基幹部３５４Ａおよび各ダクト分枝部３５４Ｂを介して各容器対向部４５４Ｃに送られてきた冷却空気を、その下面壁４５４Ｃ１に形成された複数の空気吹出し孔４５４Ｃａから各栽培容器３０の全領域において略均等に下向きに吹き出し、これにより各栽培容器３０に収容された植物Ｐに冷却空気を当てるようになっている。その際、各容器対向部４５４Ｃの各空気吹出し孔４５４Ｃａから吹き出した冷却空気は、各照明装置４０を経由して下降するので、各照明装置４０の発生する熱によって温められてその相対湿度を低下させた状態で植物に到達することとなる。
【００８９】
本変形例の構成を採用した場合においても、上記実施形態の場合と同様の作用効果を得ることができる。
【００９０】
次に、上記実施形態の第５変形例について説明する。
【００９１】
図１０は、本変形例に係る植物工場における栽培用モジュール５２０の要部を示す、図４と同様の図である。
【００９２】
同図に示すように、本変形例の栽培用モジュール５２０は、その基本的な構成については上記実施形態の場合と同様であるが、その容器対向部５５４Ｃの構成が、上記実施形態の場合と異なっている。
【００９３】
すなわち、本変形例の各容器対向部５５４Ｃは、各栽培容器３０の上方に配置された照明装置４０の上方近傍において該栽培容器３０に沿って奥行き方向に延びるソックダクトで構成されている点で上記実施形態の場合と異なっている。
【００９４】
このソックダクトは、先端部が閉じた袋状のダクトであって、ポリエステル等の合成繊維や難燃性繊維で構成されており、その全表面が微細な吹出し孔となってダクト内の空気を低速で均一に吹き出すようになっている。このソックダクトは、その基端部においてダクト分枝部（図示せず）の開口部に装着されており、また、奥行き方向の複数箇所において栽培容器３０に吊り支持されている。
【００９５】
そして、このようにソックダクトで構成された各容器対向部５５４Ｃにおいては、該容器対向部５５４Ｃに送られてきた冷却空気を、その全表面から各栽培容器３０の全領域において略均等に吹き出し、これにより各栽培容器３０に収容された植物Ｐに冷却空気を当てるようになっている。その際、各容器対向部５５４Ｃから吹き出した冷却空気は、各照明装置４０を経由して下降するので、各照明装置４０の発生する熱によって温められてその相対湿度を低下させた状態で植物に到達することとなる。
【００９６】
本変形例においても、各栽培容器３０の底面壁の左右両端部には下向きフランジ部３０ａが形成されている。そして、これら左右１対の下向きフランジ部３０ａの存在により、ソックダクトで構成された各容器対向部５５４Ｃの全表面から吹き出した冷却空気を円滑に下降させるようにしている。
【００９７】
本変形例の構成を採用することにより、上記実施形態の場合と同様の作用効果を得ることができるようにした上で、送風ダクトの構成を一層簡素化することができる。
【００９８】
なお、上記実施形態および各変形例において諸元として示した数値は一例にすぎず、これらを適宜異なる値に設定してもよいことはもちろんである。
【符号の説明】
【００９９】
１０  植物工場
１２  建屋
１４  屋内空間
２０、１２０、２２０、３２０、４２０、５２０  栽培用モジュール
３０  栽培容器
３０ａ  下向きフランジ部
３２  支持プレート
４０  照明装置
５０、２５０、３５０  空調装置
５２、３５２  装置本体
５４、２５４、３５４  送風ダクト
５４Ａ、２５４Ａ、２５８Ａ、３５４Ａ  ダクト基幹部
５４Ｂ、２５８Ｂ、３５４Ｂ  ダクト分枝部
５４Ｃ、３５４Ｃ、４５４Ｃ、５５４Ｃ  容器対向部
５４Ｃ０  ダクト本体
５４Ｃ１、３５４Ｃ１、４５４Ｃ１  下面壁
５４Ｃ１ａ  上向きフランジ部
５４Ｃａ、３５４Ｃａ、４５４Ｃａ  空気吹出し孔
６０  ラック
６０Ｈ１、６０Ｈ２  水平フレーム
６０Ｖ  鉛直フレーム
６２  車輪
６４  棚部
１５６  光反射パネル
１５６ａ  開口部
２５８  吸引ダクト
Ｐ  植物
Ｗ  水
【図１】
2014014285.tif 000003
【図２】
2014014285.tif 000004
【図３】
2014014285.tif 000005
【図４】
2014014285.tif 000006
【図５】
2014014285.tif 000007
【図６】
2014014285.tif 000008
【図７】
2014014285.tif 000009
【図８】
2014014285.tif 000010
【図９】
2014014285.tif 000011
【図１０】
2014014285.tif 000012